(57)【要約】      （修正有）【課題】定量に砂糖を入れることができ、且つ攪拌機能を有するコーヒースプーンを提供する。【解決手段】コーヒースプーンは、柄１０と柄の下方に位置する皿状部分１９を含み、柄１０の中には下方に開口した環状チャンバ１１が設けられ、環状チャンバ１１の中の下方には、本体１５がスライド可能に設けられている。本体１５には攪拌装置と、砂糖貯蔵チャンバとが設けられ、砂糖貯蔵チャンバから定量の砂糖が供給され、攪拌装置により皿状部分１９が駆動される。【選択図】図１
2020175164.tif 000002
【特許請求の範囲】
【請求項１】
正面視で、柄と前記柄の下方に位置する皿状部分を含み、前記柄の中には下方に開口した環状チャンバが設置され、前記環状チャンバの中には下に伸びている本体がスライド可能に設置され、前記本体の中にはカムチャンバが設置され、前記カムチャンバの中には左右に伸びている第一回転軸が回転可能に設置され、前記第一回転軸の外表面には第一傘歯車と前記第一傘歯車の右側に位置するカムとが固定的に設置され、前記第一回転軸の右側末端と前記カムチャンバの右側端壁の中に固定的に設置された第一モータとは伝動可能に連結され、前記カムチャンバの中には支持装置が設置され、前記本体の中には前記本体の下方に位置する第一伝動チャンバが設置され、前記第一伝動チャンバの中には攪拌装置が設置され、前記第一伝動チャンバの頂壁の中には下方に開口した切替チャンバが設置され、前記切替チャンバの右側端壁の中には左方に開口したスライドチャンバが設置され、前記スライドチャンバの中にはスライドブロックがスライド可能に設置され、前記スライドブロックには駆動切替装置が設置され、前記切替チャンバの右側端壁の中には前記スライドチャンバの上方に位置する第二伝動チャンバが設置され、前記本体の右側端壁には突出ブロックが固定的に設置され、前記突出ブロックの中には前記第二伝動チャンバの右側に位置する第三伝動チャンバが設置され、前記第三伝動チャンバの下方には砂糖貯蔵チャンバが設置され、前記砂糖貯蔵チャンバの中には砂糖入れ装置が設置されていることを特徴とする攪拌機能付きの創意的なコーヒースプーン。
【請求項２】
前記支持装置は前記カムチャンバの頂壁の中に回転可能に設置されたネジ山スリーブ  を含み、前記カムチャンバの中に位置する前記ネジ山スリーブの末端には前記第一傘歯車と噛み合った第二傘歯車が固定的に設置され、前記ネジ山スリーブの中には上方に開口したねじ穴が設置され、前記ねじ穴の中には前記環状チャンバの頂壁と固定的に連結されたネジボルトがネジ山によって連結され、前記本体の外表面には支持棒が三組環状に配置され、前記支持棒の中間位置にはヒンジ連結棒がヒンジで連結され、前記ヒンジ連結棒の末端は前記柄の外表面とヒンジで連結されていることを特徴とする請求項１に記載の攪拌機能付きの創意的なコーヒースプーン。
【請求項３】
前記攪拌装置は前記第一伝動チャンバの中に回転可能に設置された第二回転軸を含み、前記第二回転軸の外表面には第一歯車と前記第一歯車の右側に位置する第三傘歯車とが固定的に設置され、前記第一伝動チャンバの底壁の中には前記皿状部分と固定的に連結された第三回転軸が回転可能に設置され、前記第一伝動チャンバの中に位置する前記第三回転軸の末端には前記第三傘歯車と噛み合った第四傘歯車が固定的に設置されていることを特徴とする請求項１に記載の攪拌機能付きの創意的なコーヒースプーン。
【請求項４】
前記駆動切替装置は前記スライドブロックの左側端壁の中に固定的に設置された第二モータを含み、前記第二モータの出力軸は左に伸びており、且つ前記第二モータの出力軸の末端には第二歯車が固定的に設置され、前記スライドチャンバと前記カムチャンバとの間にはスライド孔が連通するように設置され、前記スライド孔の中には前記スライドブロックと固定的に連結されたスライドロッドがスライド可能に設置され、前記スライドロッドと前記スライド孔の端壁との間には復位装置が弾性を持つように設置され、前記切替チャンバと前記第二伝動チャンバとの間にはウォームが回転可能に設置され、前記切替チャンバの中に位置する前記ウォームの末端には前記第二歯車と噛み合った第三歯車が固定的に設置され、前記第二伝動チャンバと前記第三伝動チャンバとの間には第四回転軸が回転可能に設置され、前記第三伝動チャンバの中に位置する前記第四回転軸の末端には第五傘歯車が固定的に設置され、前記第二伝動チャンバの中に位置する前記第四回転軸の末端には前記ウォームと噛み合ったウォームホイールが固定的に設置されていることを特徴とする請求項１に記載の攪拌機能付きの創意的なコーヒースプーン。
【請求項５】
前記砂糖入れ装置は前記第三伝動チャンバと前記砂糖貯蔵チャンバとの間に回転可能に設置された螺旋軸を含み、前記第三伝動チャンバの中に位置する前記螺旋軸の末端には前記第五傘歯車と噛み合った第六傘歯車が固定的に設置され、前記砂糖貯蔵チャンバの中に位置する螺旋軸の外表面には螺旋移送パドルが固定的に設置され、前記砂糖貯蔵チャンバの底壁の中には外部と連通した連通孔が設置されていることを特徴とする請求項１に記載の攪拌機能付きの創意的なコーヒースプーン。
【発明の詳細な説明】
【技術分野】
【０００１】
本発明は飲食用具分野を取り上げ、具体には攪拌機能付きの創意的なコーヒースプーンである。
【背景技術】
【０００２】
コーヒーを飲む時に、人々は常に自分の好みにあわせ、適量の砂糖を入れるが、伝統的な入れ方では、定量に砂糖を入れることが難しく、コーヒーの口当たりに影響してしまう。また、時には砂糖を入れたが、砂糖が溶けにくく、攪拌しなければならない場合もある。そのため、上記の問題を解決するには、定量に砂糖を入れることができ、且つ攪拌機能付きの創意的なコーヒースプーンの設計は必要である。
【先行技術文献】
【特許文献】
【０００３】
【特許文献１】中国特許出願公開第１０９１０６１７１号明細書
【発明の概要】
【発明が解決しようとする課題】
【０００４】
本発明は攪拌機能付きの創意的なコーヒースプーンを提供し、既存技術にある上記の欠点を解消することを目的とする。
【課題を解決するための手段】
【０００５】
本発明の攪拌機能付きの創意的なコーヒースプーンは、柄と前記柄の下方に位置する皿状部分を含み、前記柄の中には下方に開口した環状チャンバが設置され、前記環状チャンバの中には下に伸びている本体がスライド可能に設置され、前記本体の中にはカムチャンバが設置され、前記カムチャンバの中には左右に伸びている第一回転軸が回転可能に設置され、前記第一回転軸の外表面には第一傘歯車と前記第一傘歯車の右側に位置するカムとが固定的に設置され、前記第一回転軸の右側末端と前記カムチャンバの右側端壁の中に固定的に設置された第一モータとは伝動可能に連結され、前記カムチャンバの中には支持装置が設置され、前記本体の中には前記本体の下方に位置する第一伝動チャンバが設置され、前記第一伝動チャンバの中には攪拌装置が設置され、前記第一伝動チャンバの頂壁の中には下方に開口した切替チャンバが設置され、前記切替チャンバの右側端壁の中には左方に開口したスライドチャンバが設置され、前記スライドチャンバの中にはスライドブロックがスライド可能に設置され、前記スライドブロックには駆動切替装置が設置され、前記切替チャンバの右側端壁の中には前記スライドチャンバの上方に位置する第二伝動チャンバが設置され、前記本体の右側端壁には突出ブロックが固定的に設置され、前記突出ブロックの中には前記第二伝動チャンバの右側に位置する第三伝動チャンバが設置され、前記第三伝動チャンバの下方には砂糖貯蔵チャンバが設置され、前記砂糖貯蔵チャンバの中には砂糖入れ装置が設置されている。
【０００６】
前記支持装置は前記カムチャンバの頂壁の中に回転可能に設置されたネジ山スリーブ  を含み、前記カムチャンバの中に位置する前記ネジ山スリーブの末端には前記第一傘歯車と噛み合った第二傘歯車が固定的に設置され、前記ネジ山スリーブの中には上方に開口したねじ穴が設置され、前記ねじ穴の中には前記環状チャンバの頂壁と固定的に連結されたネジボルトがネジ山によって連結され、前記本体の外表面には支持棒が三組環状に配置され、前記支持棒の中間位置にはヒンジ連結棒がヒンジで連結され、前記ヒンジ連結棒の末端は前記柄の外表面とヒンジで連結されている。
【０００７】
前記攪拌装置は前記第一伝動チャンバの中に回転可能に設置された第二回転軸を含み、前記第二回転軸の外表面には第一歯車と前記第一歯車の右側に位置する第三傘歯車とが固定的に設置され、前記第一伝動チャンバの底壁の中には前記皿状部分と固定的に連結された第三回転軸が回転可能に設置され、前記第一伝動チャンバの中に位置する前記第三回転軸の末端には前記第三傘歯車と噛み合った第四傘歯車が固定的に設置されている。
【０００８】
前記駆動切替装置は前記スライドブロックの左側端壁の中に固定的に設置された第二モータを含み、前記第二モータの出力軸は左に伸びており、且つ前記第二モータの出力軸の末端には第二歯車が固定的に設置され、前記スライドチャンバと前記カムチャンバとの間にはスライド孔が連通するように設置され、前記スライド孔の中には前記スライドブロックと固定的に連結されたスライドロッドがスライド可能に設置され、前記スライドロッドと前記スライド孔の端壁との間には復位装置が弾性を持つように設置され、前記切替チャンバと前記第二伝動チャンバとの間にはウォームが回転可能に設置され、前記切替チャンバの中に位置する前記ウォームの末端には前記第二歯車と噛み合った第三歯車が固定的に設置され、前記第二伝動チャンバと前記第三伝動チャンバとの間には第四回転軸が回転可能に設置され、前記第三伝動チャンバの中に位置する前記第四回転軸の末端には第五傘歯車が固定的に設置され、前記第二伝動チャンバの中に位置する前記第四回転軸の末端には前記ウォームと噛み合ったウォームホイールが固定的に設置されている。
【０００９】
前記砂糖入れ装置は前記第三伝動チャンバと前記砂糖貯蔵チャンバとの間に回転可能に設置された螺旋軸を含み、前記第三伝動チャンバの中に位置する前記螺旋軸の末端には前記第五傘歯車と噛み合った第六傘歯車が固定的に設置され、前記砂糖貯蔵チャンバの中に位置する螺旋軸の外表面には螺旋移送パドルが固定的に設置され、前記砂糖貯蔵チャンバの底壁の中には外部と連通した連通孔が設置されている。
【発明の効果】
【００１０】
本発明の有益的効果は：本発明の設備は砂糖入れ装置を持つことで、使用者により簡単に自身の好みにあわせ、砂糖を入れられ、また、本設備には攪拌機能もついており、より便利にコーヒーを攪拌し、さらなるいい食感を与えられ、上記の機能は同一の動力源によって駆動され、同時に、上記の機能を切り替える時には、支持装置を展開でき、設備をコーヒーカップに置くのに便利であり、簡単に操作でき、実用性を高め、高い使用と普及価値がある。
【図面の簡単な説明】
【００１１】
下記に図１〜３をあわせて本発明について詳しく説明し、また、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の攪拌機能付きの創意的コーヒースプーンの全体構成略図
【図２】図２は図１におけるＡの拡大構成略図
【図３】図３は図２におけるＢ―Ｂの構成略図
【発明を実施するための形態】
【００１３】
本発明書に開示した全ての特徴、或いは開示した全ての方法、過程中のステップは、互いに排斥する特徴或いはステップ以外に、いかなる方式で組み合わせることができる。
【００１４】
図１〜３が示したように、本発明の攪拌機能付きの創意的なコーヒースプーンは、柄１０と前記柄１０の下方に位置する皿状部分１９を含み、前記柄１０の中には下方に開口した環状チャンバ１１が設置され、前記環状チャンバ１１の中には下に伸びている本体１５がスライド可能に設置され、前記本体の１５中にはカムチャンバ２３が設置され、前記カムチャンバ２３の中には左右に伸びている第一回転軸２２が回転可能に設置され、前記第一回転軸２２の外表面には第一傘歯車２１と前記第一傘歯車２１の右側に位置するカム４２とが固定的に設置され、前記第一回転軸２２の右側末端と前記カムチャンバ２３の右側端壁の中に固定的に設置された第一モータ４３とは伝動可能に連結され、前記カムチャンバ２３の中には支持装置が設置され、前記本体１５の中には前記本体１５の下方に位置する第一伝動チャンバ２９が設置され、前記第一伝動チャンバ２９の中には攪拌装置が設置され、前記第一伝動チャンバ２８の頂壁の中には下方に開口した切替チャンバ２４が設置され、前記切替チャンバ２４の右側端壁の中には左方に開口したスライドチャンバ３４が設置され、前記スライドチャンバ３４の中にはスライドブロック３６がスライド可能に設置され、前記スライドブロック３６には駆動切替装置が設置され、前記切替チャンバ２４の右側端壁の中には前記スライドチャンバ３４の上方に位置する第二伝動チャンバ３９が設置され、前記本体１５の右側端壁には突出ブロック４４が固定的に設置され、前記突出ブロック４４の中には前記第二伝動チャンバ３９の右側に位置する第三伝動チャンバ４５が設置され、前記第三伝動チャンバ４５の下方には砂糖貯蔵チャンバ４９が設置され、前記砂糖貯蔵チャンバ４９の中には砂糖入れ装置が設置されている。
【００１５】
好ましくは、前記支持装置は前記カムチャンバ２３の頂壁の中に回転可能に設置されたネジ山スリーブ  １４を含み、前記カムチャンバ２３の中に位置する前記ネジ山スリーブ１４の末端には前記第一傘歯車２１と噛み合った第二傘歯車２０が固定的に設置され、前記ネジ山スリーブ１４の中には上方に開口したねじ穴１３が設置され、前記ねじ穴１３の中には前記環状チャンバ１１の頂壁と固定的に連結されたネジボルト１２がネジ山によって連結され、前記本体１５の外表面には支持棒１７が三組環状に配置され、前記支持棒１７の中間位置にはヒンジ連結棒１６がヒンジで連結され、前記ヒンジ連結棒１６の末端は前記柄１０の外表面とヒンジで連結されている。
【００１６】
好ましくは、前記攪拌装置は前記第一伝動チャンバ２９の中に回転可能に設置された第二回転軸３１を含み、前記第二回転軸３１の外表面には第一歯車３０と前記第一歯車３０の右側に位置する第三傘歯車３３とが固定的に設置され、前記第一伝動チャンバ２９の底壁の中には前記皿状部分１９と固定的に連結された第三回転軸１８が回転可能に設置され、前記第一伝動チャンバ２９の中に位置する前記第三回転軸１８の末端には前記第三傘歯車３３と噛み合った第四傘歯車３２が固定的に設置されている。  
【００１７】
好ましくは、前記駆動切替装置は前記スライドブロック３６の左側端壁の中に固定的に設置された第二モータ３５を含み、前記第二モータ３５の出力軸は左に伸びており、且つ前記第二モータ３５の出力軸の末端には第二歯車２８が固定的に設置され、前記スライドチャンバ３４と前記カムチャンバ２３との間にはスライド孔４１が連通するように設置され、前記スライド孔４１の中には前記スライドブロック３６と固定的に連結されたスライドロッド３７がスライド可能に設置され、前記スライドロッド３７と前記スライド孔４１の端壁との間には復位装置３８が弾性を持つように設置され、前記切替チャンバ２５と前記第二伝動チャンバ３９との間にはウォーム２７が回転可能に設置され、前記切替チャンバ２４の中に位置する前記ウォーム２７の末端には前記第二歯車２８と噛み合った第三歯車２５が固定的に設置され、前記第二伝動チャンバ３９と前記第三伝動チャンバ４５との間には第四回転軸２６が回転可能に設置され、前記第三伝動チャンバ４５の中に位置する前記第四回転軸２６の末端には第五傘歯車４６が固定的に設置され、前記第二伝動チャンバ３９の中に位置する前記第四回転軸２６の末端には前記ウォーム２７と噛み合ったウォームホイール４０が固定的に設置されている。
【００１８】
好ましくは、前記砂糖入れ装置は前記第三伝動チャンバ４５と前記砂糖貯蔵チャンバ４９との間に回転可能に設置された螺旋軸４８を含み、前記第三伝動チャンバ４５の中に位置する前記螺旋軸４８の末端には前記第五傘歯車４６と噛み合った第六傘歯車４７が固定的に設置され、前記砂糖貯蔵チャンバ４９の中に位置する螺旋軸４８の外表面には螺旋移送パドル５０が固定的に設置され、前記砂糖貯蔵チャンバ４９の底壁の中には外部と連通した連通孔５１が設置されている。
【００１９】
下記に、図１〜３及び本願の攪拌機能付きの創意的なコーヒースプーンの具体構成を参照し、本装置の使用方法について詳しく説明する：
【００２０】
まず、第二モータ３５を起動し、第二モータ３５の回転により第二歯車２８は回転し、それにより第三歯車２５を回転連動させ、それにより  ウォーム２７と、ウォームホイール４０と、第五傘歯車４６と、第六傘歯車４７と螺旋軸４８とを次第に回転させ、それにより、螺旋移送パドル５０は回転し、砂糖貯蔵チャンバ４９の中の砂糖を連通孔５１から通過させてコーヒーカップに移送し、適量の砂糖を入れた後、第一モータ４３を起動し、それにより、第一回転軸２２は回転し、第一回転軸２２  の回転により第一傘歯車２１は回転し、それにより第二傘歯車２０とネジ山スリーブ１４とを回転連動させ、それによりネジボルト１２を下に移動連動させ、それにより柄１０を下に移動連動させることで、ヒンジ連結棒１６を下に移動させて支持棒１７を展開させ、同時に第一回転軸２２はカム４２にスライドロッド３７を圧迫させ、スライドロッド３７はスライドブロック３６を下に移動連動させ、それにより第二歯車２８と第一歯車３０とを噛み合わせ、この時、スプーンをコーヒーカップに入れ、同時に支持棒１７をカップの縁部に置き、第二モータ３６を起動して第二歯車２８を回転連動させ、それにより第一歯車３０と、第三傘歯車３３と、第四傘歯車３２と、第三回転軸１８とを次第に回転させ、皿状部分１９にコーヒーを攪拌させることで、コーヒーと砂糖は十分に混和できる。
【００２１】
前述の詳しい説明から判明できることは：本発明の設備は砂糖入れ装置を持つことで、使用者により簡単に自身の好みにあわせ、砂糖を入れられ、また、本設備には攪拌機能もついており、より便利にコーヒーを攪拌し、さらなるいい食感を与えられ、上記の機能は同一の動力源によって駆動され、同時に、上記の機能を切り替える時には、支持装置を展開でき、設備をコーヒーカップに置くのに便利であり、簡単に操作でき、実用性を高め、高い使用と普及価値がある。
【００２２】
以上に述べたのはただ本発明の具体的な実施方式であり、本発明の保護範囲は以上の内容に限らず、すべての創造的な労働を通じず思いつきの改動と取替は本発明の保護範囲にカバーされるべき。そのため、本発明の保護範囲は権利要求書が限定された保護範囲を標準とすべきである。
【図１】
2020175164.tif 000003
【図２】
2020175164.tif 000004
【図３】
2020175164.tif 000005
【手続補正書】
【提出日】令和2年2月21日(2020.2.21)
【手続補正１】
【補正対象書類名】特許請求の範囲
【補正対象項目名】全文
【補正方法】変更
【補正の内容】
【特許請求の範囲】
【請求項１】
正面視で、柄と前記柄の下方に位置する皿状部分を含み、前記柄の中には下方に開口した環状チャンバが設置され、前記環状チャンバの中には下に伸びている本体がスライド可能に設置され、前記本体の中にはカムチャンバが設置され、前記カムチャンバの中には左右に伸びている第一回転軸が回転可能に設置され、前記第一回転軸の外表面には第一傘歯車と前記第一傘歯車の右側に位置するカムとが固定的に設置され、前記第一回転軸の右側末端と前記カムチャンバの右側端壁の中に固定的に設置された第一モータとは伝動可能に連結され、前記カムチャンバの中には支持装置が設置され、前記本体の中には前記本体の下方に位置する第一伝動チャンバが設置され、前記第一伝動チャンバの中には攪拌装置が設置され、前記第一伝動チャンバの頂壁の中には下方に開口した切替チャンバが設置され、前記切替チャンバの右側端壁の中には左方に開口したスライドチャンバが設置され、前記スライドチャンバの中にはスライドブロックがスライド可能に設置され、前記スライドブロックには駆動切替装置が設置され、前記駆動切替装置は撹拌装置と砂糖入れ装置との動力を切り替えられ、前記切替チャンバの右側端壁の中には前記スライドチャンバの上方に位置する第二伝動チャンバが設置され、前記本体の右側端壁には突出ブロックが固定的に設置され、前記突出ブロックの中には前記第二伝動チャンバの右側に位置する第三伝動チャンバが設置され、前記第三伝動チャンバの下方には砂糖貯蔵チャンバが設置され、前記砂糖貯蔵チャンバの中には砂糖入れ装置が設置され、
前記支持装置は前記カムチャンバの頂壁の中に回転可能に設置されたネジ山スリーブを含み、前記カムチャンバの中に位置する前記ネジ山スリーブの末端には前記第一傘歯車と噛み合った第二傘歯車が固定的に設置され、前記ネジ山スリーブの中には上方に開口したねじ穴が設置され、前記ねじ穴の中には前記環状チャンバの頂壁と固定的に連結されたネジボルトがネジ山によって連結され、前記本体の外表面には支持棒が三組環状に配置され、前記支持棒の中間位置にはヒンジ連結棒がヒンジで連結され、前記ヒンジ連結棒の末端は前記柄の外表面とヒンジで連結され、
前記攪拌装置は前記第一伝動チャンバの中に回転可能に設置された第二回転軸を含み、前記第二回転軸の外表面には第一歯車と前記第一歯車の右側に位置する第三傘歯車とが固定的に設置され、前記第一伝動チャンバの底壁の中には前記皿状部分と固定的に連結された第三回転軸が回転可能に設置され、前記第一伝動チャンバの中に位置する前記第三回転軸の末端には前記第三傘歯車と噛み合った第四傘歯車が固定的に設置され、
前記駆動切替装置は前記スライドブロックの左側端壁の中に固定的に設置された第二モータを含み、前記第二モータの出力軸は左に伸びており、且つ前記第二モータの出力軸の末端には第二歯車が固定的に設置され、前記スライドチャンバと前記カムチャンバとの間にはスライド孔が連通するように設置され、前記スライド孔の中には前記スライドブロックと固定的に連結されたスライドロッドがスライド可能に設置され、前記スライドロッドと前記スライド孔の端壁との間には復位装置が弾性を持つように設置され、前記復位装置は前記スライドロッドが移動した後に前記スライドロッドを復帰させられ、前記切替チャンバと前記第二伝動チャンバとの間にはウォームが回転可能に設置され、前記切替チャンバの中に位置する前記ウォームの末端には前記第二歯車と噛み合った第三歯車が固定的に設置され、前記第二伝動チャンバと前記第三伝動チャンバとの間には第四回転軸が回転可能に設置され、前記第三伝動チャンバの中に位置する前記第四回転軸の末端には第五傘歯車が固定的に設置され、前記第二伝動チャンバの中に位置する前記第四回転軸の末端には前記ウォームと噛み合ったウォームホイールが固定的に設置され、
前記砂糖入れ装置は前記第三伝動チャンバと前記砂糖貯蔵チャンバとの間に回転可能に設置された螺旋軸を含み、前記第三伝動チャンバの中に位置する前記螺旋軸の末端には前記第五傘歯車と噛み合った第六傘歯車が固定的に設置され、前記砂糖貯蔵チャンバの中に位置する螺旋軸の外表面には螺旋移送パドルが固定的に設置され、前記砂糖貯蔵チャンバの底壁の中には外部と連通した連通孔が設置されていることを特徴とする攪拌機能付きの創意的なコーヒースプーン。
【手続補正２】
【補正対象書類名】明細書
【補正対象項目名】全文
【補正方法】変更
【補正の内容】
【発明の詳細な説明】
【技術分野】
【０００１】
本発明は飲食用具分野を取り上げ、具体には攪拌機能付きの創意的なコーヒースプーンである。
【背景技術】
【０００２】
コーヒーを飲む時に、人々は常に自分の好みにあわせ、適量の砂糖を入れるが、伝統的な入れ方では、定量に砂糖を入れることが難しく、コーヒーの口当たりに影響してしまう。また、時には砂糖を入れたが、砂糖が溶けにくく、攪拌しなければならない場合もある。そのため、上記の問題を解決するには、定量に砂糖を入れることができ、且つ攪拌機能付きの創意的なコーヒースプーンの設計は必要である。
【先行技術文献】
【特許文献】
【０００３】
【特許文献１】中国特許出願公開第１０９１０６１７１号明細書
【発明の概要】
【発明が解決しようとする課題】
【０００４】
本発明は攪拌機能付きの創意的なコーヒースプーンを提供し、既存技術にある上記の欠点を解消することを目的とする。
【課題を解決するための手段】
【０００５】
本発明の攪拌機能付きの創意的なコーヒースプーンは、柄と前記柄の下方に位置する皿状部分を含み、前記柄の中には下方に開口した環状チャンバが設置され、前記環状チャンバの中には下に伸びている本体がスライド可能に設置され、前記本体の中にはカムチャンバが設置され、前記カムチャンバの中には左右に伸びている第一回転軸が回転可能に設置され、前記第一回転軸の外表面には第一傘歯車と前記第一傘歯車の右側に位置するカムとが固定的に設置され、前記第一回転軸の右側末端と前記カムチャンバの右側端壁の中に固定的に設置された第一モータとは伝動可能に連結され、前記カムチャンバの中には支持装置が設置され、前記本体の中には前記本体の下方に位置する第一伝動チャンバが設置され、前記第一伝動チャンバの中には攪拌装置が設置され、前記第一伝動チャンバの頂壁の中には下方に開口した切替チャンバが設置され、前記切替チャンバの右側端壁の中には左方に開口したスライドチャンバが設置され、前記スライドチャンバの中にはスライドブロックがスライド可能に設置され、前記スライドブロックには駆動切替装置が設置され、前記駆動切替装置は撹拌装置と砂糖入れ装置との動力を切り替えられ、前記切替チャンバの右側端壁の中には前記スライドチャンバの上方に位置する第二伝動チャンバが設置され、前記本体の右側端壁には突出ブロックが固定的に設置され、前記突出ブロックの中には前記第二伝動チャンバの右側に位置する第三伝動チャンバが設置され、前記第三伝動チャンバの下方には砂糖貯蔵チャンバが設置され、前記砂糖貯蔵チャンバの中には砂糖入れ装置が設置されている。
【０００６】
前記支持装置は前記カムチャンバの頂壁の中に回転可能に設置されたネジ山スリーブを含み、前記カムチャンバの中に位置する前記ネジ山スリーブの末端には前記第一傘歯車と噛み合った第二傘歯車が固定的に設置され、前記ネジ山スリーブの中には上方に開口したねじ穴が設置され、前記ねじ穴の中には前記環状チャンバの頂壁と固定的に連結されたネジボルトがネジ山によって連結され、前記本体の外表面には支持棒が三組環状に配置され、前記支持棒の中間位置にはヒンジ連結棒がヒンジで連結され、前記ヒンジ連結棒の末端は前記柄の外表面とヒンジで連結されている。
【０００７】
前記攪拌装置は前記第一伝動チャンバの中に回転可能に設置された第二回転軸を含み、前記第二回転軸の外表面には第一歯車と前記第一歯車の右側に位置する第三傘歯車とが固定的に設置され、前記第一伝動チャンバの底壁の中には前記皿状部分と固定的に連結された第三回転軸が回転可能に設置され、前記第一伝動チャンバの中に位置する前記第三回転軸の末端には前記第三傘歯車と噛み合った第四傘歯車が固定的に設置されている。
【０００８】
前記駆動切替装置は前記スライドブロックの左側端壁の中に固定的に設置された第二モータを含み、前記第二モータの出力軸は左に伸びており、且つ前記第二モータの出力軸の末端には第二歯車が固定的に設置され、前記スライドチャンバと前記カムチャンバとの間にはスライド孔が連通するように設置され、前記スライド孔の中には前記スライドブロックと固定的に連結されたスライドロッドがスライド可能に設置され、前記スライドロッドと前記スライド孔の端壁との間には復位装置が弾性を持つように設置され、前記復位装置は前記スライドロッドが移動した後に前記スライドロッドを復帰させられ、前記切替チャンバと前記第二伝動チャンバとの間にはウォームが回転可能に設置され、前記切替チャンバの中に位置する前記ウォームの末端には前記第二歯車と噛み合った第三歯車が固定的に設置され、前記第二伝動チャンバと前記第三伝動チャンバとの間には第四回転軸が回転可能に設置され、前記第三伝動チャンバの中に位置する前記第四回転軸の末端には第五傘歯車が固定的に設置され、前記第二伝動チャンバの中に位置する前記第四回転軸の末端には前記ウォームと噛み合ったウォームホイールが固定的に設置されている。
【０００９】
前記砂糖入れ装置は前記第三伝動チャンバと前記砂糖貯蔵チャンバとの間に回転可能に設置された螺旋軸を含み、前記第三伝動チャンバの中に位置する前記螺旋軸の末端には前記第五傘歯車と噛み合った第六傘歯車が固定的に設置され、前記砂糖貯蔵チャンバの中に位置する螺旋軸の外表面には螺旋移送パドルが固定的に設置され、前記砂糖貯蔵チャンバの底壁の中には外部と連通した連通孔が設置されている。
【発明の効果】
【００１０】
本発明の有益的効果は：本発明の設備は砂糖入れ装置を持つことで、使用者により簡単に自身の好みにあわせ、砂糖を入れられ、また、本設備には攪拌機能もついており、より便利にコーヒーを攪拌し、さらなるいい食感を与えられ、上記の機能は同一の動力源によって駆動され、同時に、上記の機能を切り替える時には、支持装置を展開でき、設備をコーヒーカップに置くのに便利であり、簡単に操作でき、実用性を高め、高い使用と普及価値がある。
【図面の簡単な説明】
【００１１】
下記に図１〜３をあわせて本発明について詳しく説明し、また、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の攪拌機能付きの創意的コーヒースプーンの全体構成略図
【図２】図２は図１におけるＡの拡大構成略図
【図３】図３は図２におけるＢ―Ｂの構成略図
【発明を実施するための形態】
【００１３】
本発明書に開示した全ての特徴、或いは開示した全ての方法、過程中のステップは、互いに排斥する特徴或いはステップ以外に、いかなる方式で組み合わせることができる。
【００１４】
図１〜３が示したように、本発明の攪拌機能付きの創意的なコーヒースプーンは、柄１０と前記柄１０の下方に位置する皿状部分１９を含み、前記柄１０の中には下方に開口した環状チャンバ１１が設置され、前記環状チャンバ１１の中には下に伸びている本体１５がスライド可能に設置され、前記本体の１５中にはカムチャンバ２３が設置され、前記カムチャンバ２３の中には左右に伸びている第一回転軸２２が回転可能に設置され、前記第一回転軸２２の外表面には第一傘歯車２１と前記第一傘歯車２１の右側に位置するカム４２とが固定的に設置され、前記第一回転軸２２の右側末端と前記カムチャンバ２３の右側端壁の中に固定的に設置された第一モータ４３とは伝動可能に連結され、前記カムチャンバ２３の中には支持装置が設置され、前記本体１５の中には前記本体１５の下方に位置する第一伝動チャンバ２９が設置され、前記第一伝動チャンバ２９の中には攪拌装置が設置され、前記第一伝動チャンバ２８の頂壁の中には下方に開口した切替チャンバ２４が設置され、前記切替チャンバ２４の右側端壁の中には左方に開口したスライドチャンバ３４が設置され、前記スライドチャンバ３４の中にはスライドブロック３６がスライド可能に設置され、前記スライドブロック３６には駆動切替装置が設置され、前記駆動切替装置は撹拌装置と砂糖入れ装置との動力を切り替えられ、前記切替チャンバ２４の右側端壁の中には前記スライドチャンバ３４の上方に位置する第二伝動チャンバ３９が設置され、前記本体１５の右側端壁には突出ブロック４４が固定的に設置され、前記突出ブロック４４の中には前記第二伝動チャンバ３９の右側に位置する第三伝動チャンバ４５が設置され、前記第三伝動チャンバ４５の下方には砂糖貯蔵チャンバ４９が設置され、前記砂糖貯蔵チャンバ４９の中には砂糖入れ装置が設置されている。
【００１５】
好ましくは、前記支持装置は前記カムチャンバ２３の頂壁の中に回転可能に設置されたネジ山スリーブ１４を含み、前記カムチャンバ２３の中に位置する前記ネジ山スリーブ１４の末端には前記第一傘歯車２１と噛み合った第二傘歯車２０が固定的に設置され、前記ネジ山スリーブ１４の中には上方に開口したねじ穴１３が設置され、前記ねじ穴１３の中には前記環状チャンバ１１の頂壁と固定的に連結されたネジボルト１２がネジ山によって連結され、前記本体１５の外表面には支持棒１７が三組環状に配置され、前記支持棒１７の中間位置にはヒンジ連結棒１６がヒンジで連結され、前記ヒンジ連結棒１６の末端は前記柄１０の外表面とヒンジで連結されている。
【００１６】
好ましくは、前記攪拌装置は前記第一伝動チャンバ２９の中に回転可能に設置された第二回転軸３１を含み、前記第二回転軸３１の外表面には第一歯車３０と前記第一歯車３０の右側に位置する第三傘歯車３３とが固定的に設置され、前記第一伝動チャンバ２９の底壁の中には前記皿状部分１９と固定的に連結された第三回転軸１８が回転可能に設置され、前記第一伝動チャンバ２９の中に位置する前記第三回転軸１８の末端には前記第三傘歯車３３と噛み合った第四傘歯車３２が固定的に設置されている。
【００１７】
好ましくは、前記駆動切替装置は前記スライドブロック３６の左側端壁の中に固定的に設置された第二モータ３５を含み、前記第二モータ３５の出力軸は左に伸びており、且つ前記第二モータ３５の出力軸の末端には第二歯車２８が固定的に設置され、前記スライドチャンバ３４と前記カムチャンバ２３との間にはスライド孔４１が連通するように設置され、前記スライド孔４１の中には前記スライドブロック３６と固定的に連結されたスライドロッド３７がスライド可能に設置され、前記スライドロッド３７と前記スライド孔４１の端壁との間には復位装置３８が弾性を持つように設置され、前記復位装置３８は前記スライドロッド３７が移動した後に前記スライドロッド３７を復帰させられ、前記切替チャンバ２５と前記第二伝動チャンバ３９との間にはウォーム２７が回転可能に設置され、前記切替チャンバ２４の中に位置する前記ウォーム２７の末端には前記第二歯車２８と噛み合った第三歯車２５が固定的に設置され、前記第二伝動チャンバ３９と前記第三伝動チャンバ４５との間には第四回転軸２６が回転可能に設置され、前記第三伝動チャンバ４５の中に位置する前記第四回転軸２６の末端には第五傘歯車４６が固定的に設置され、前記第二伝動チャンバ３９の中に位置する前記第四回転軸２６の末端には前記ウォーム２７と噛み合ったウォームホイール４０が固定的に設置されている。
【００１８】
好ましくは、前記砂糖入れ装置は前記第三伝動チャンバ４５と前記砂糖貯蔵チャンバ４９との間に回転可能に設置された螺旋軸４８を含み、前記第三伝動チャンバ４５の中に位置する前記螺旋軸４８の末端には前記第五傘歯車４６と噛み合った第六傘歯車４７が固定的に設置され、前記砂糖貯蔵チャンバ４９の中に位置する螺旋軸４８の外表面には螺旋移送パドル５０が固定的に設置され、前記砂糖貯蔵チャンバ４９の底壁の中には外部と連通した連通孔５１が設置されている。
【００１９】
下記に、図１〜３及び本願の攪拌機能付きの創意的なコーヒースプーンの具体構成を参照し、本装置の使用方法について詳しく説明する：
【００２０】
まず、第二モータ３５を起動し、第二モータ３５の回転により第二歯車２８は回転し、それにより第三歯車２５を回転連動させ、それによりウォーム２７と、ウォームホイール４０と、第五傘歯車４６と、第六傘歯車４７と螺旋軸４８とを次第に回転させ、それにより、螺旋移送パドル５０は回転し、砂糖貯蔵チャンバ４９の中の砂糖を連通孔５１から通過させてコーヒーカップに移送し、適量の砂糖を入れた後、第二モータ３５を止めて第一モータ４３を起動し、それにより、第一回転軸２２は回転し、第一回転軸２２の回転により第一傘歯車２１は回転し、それにより第二傘歯車２０とネジ山スリーブ１４とを回転連動させ、それによりネジボルト１２を下に移動連動させ、それにより柄１０を下に移動連動させることで、ヒンジ連結棒１６を下に移動させて支持棒１７を展開させ、同時に第一回転軸２２はカム４２にスライドロッド３７を圧迫させ、スライドロッド３７はスライドブロック３６を下に移動連動させ、それにより第二歯車２８と第一歯車３０とを噛み合わせ、この時、スプーンをコーヒーカップに入れ、同時に支持棒１７をカップの縁部に置き、第二モータ３５を起動して第二歯車２８を回転連動させ、それにより第一歯車３０と、第三傘歯車３３と、第四傘歯車３２と、第三回転軸１８とを次第に回転させ、皿状部分１９にコーヒーを攪拌させることで、コーヒーと砂糖は十分に混和できる。
【００２１】
前述の詳しい説明から判明できることは：本発明の設備は砂糖入れ装置を持つことで、使用者により簡単に自身の好みにあわせ、砂糖を入れられ、また、本設備には攪拌機能もついており、より便利にコーヒーを攪拌し、さらなるいい食感を与えられ、上記の機能は同一の動力源によって駆動され、同時に、上記の機能を切り替える時には、支持装置を展開でき、設備をコーヒーカップに置くのに便利であり、簡単に操作でき、実用性を高め、高い使用と普及価値がある。
【００２２】
以上に述べたのはただ本発明の具体的な実施方式であり、本発明の保護範囲は以上の内容に限らず、すべての創造的な労働を通じず思いつきの改動と取替は本発明の保護範囲にカバーされるべき。そのため、本発明の保護範囲は権利要求書が限定された保護範囲を標準とすべきである。